(57)【要約】【課題】載置部に対して保持部が移動するときに載置部に載置されたディスクに傷を付けることを防止するディスク保持装置を提供すること。【解決手段】ディスクが載置されるトレイ群１２０と、トレイ群１２０を支持した底面板１１１と、底面板１１１に支持されて底面板１１１に対して回動運動する基板１４１及びターンテーブル１４４と、トレイ群１２０に載置されたディスクに接触しながら移動することによって回転するローラ１４８とを備え、ローラ１４８は、基板１４１に回転可能に取り付けられ、基板１４１は、底面板１１１に対して回動運動することによってトレイ群１２０に対してターンテーブル１４４及びローラ１４８を移動させるようにする。【選択図】　　　図１
2004146026.tif 000002
【特許請求の範囲】
【請求項１】
ディスクが載置される載置部と、前記載置部を支持した基部と、前記基部に支持されて前記基部に対して運動する運動部と、前記載置部に載置された前記ディスクに接触しながら移動することによって回転する回転部とを備え、
前記回転部は、前記運動部に回転可能に取り付けられ、
前記運動部は、前記ディスクを保持する保持部を有し、前記基部に対して運動することによって前記載置部に対して前記保持部及び前記回転部を移動させることを特徴とするディスク保持装置。
【発明の詳細な説明】
【０００１】
【発明の属する技術分野】
本発明は、コンパクトディスクなどのディスクを保持するディスク保持装置に関するものである。
【０００２】
【従来の技術】
従来、ディスク保持装置として、図４から図６までに示すように、複数のディスクから選択された１つのディスクを保持するディスクチェンジャ装置９００が知られている（例えば、特許文献１参照。）。
【０００３】
ディスクチェンジャ装置９００は、軸９１１ａを有した底面板９１１と、上面板９１６とを有した筐体９１０を備えている。
【０００４】
また、ディスクチェンジャ装置９００は、ディスクが載置される載置部としての６枚のトレイ９２１、トレイ９２２、トレイ９２３、トレイ９２４、トレイ９２５及びトレイ９２６から構成されるトレイ群９２０と、トレイ群９２０に係合する回転体９３１、及び、回転体９３１と同様な図示していない複数の回転体を有して筐体９１０に対してトレイ群９２０を移動させるトレイ移動部９３０とを備えている。ここで、トレイ群９２０は、トレイ移動部９３０を介して底面板９１１及び上面板９１６に支持されている。
【０００５】
また、ディスクチェンジャ装置９００は、底面板９１１の軸９１１ａに回動可能に支持された基板９４１と、基板９４１に対して底面板９１１側とは反対側で基板９４１に取り付けられた３個のダンパ９４２ａ、ダンパ９４２ｂ及びダンパ９４２ｃと、ダンパ９４２ａ、ダンパ９４２ｂ及びダンパ９４２ｃを介して基板９４１に支持された光ヘッドシャーシ９４３とを備えている。
【０００６】
また、ディスクチェンジャ装置９００は、ディスクを保持する保持部として、光ヘッドシャーシ９４３に対して基板９４１側とは反対側で光ヘッドシャーシ９４３の先端部分に回転可能に支持されたターンテーブル９４４を備えている。
【０００７】
また、ディスクチェンジャ装置９００は、ターンテーブル９４４に直結された回転軸９４５ａを有して光ヘッドシャーシ９４３に対してターンテーブル９４４側とは反対側で光ヘッドシャーシ９４３に取り付けられたモータ９４５と、ターンテーブル９４４に保持されたディスクに記憶された情報を読み取る光ピックアップ９４６とを備えている。
【０００８】
また、ディスクチェンジャ装置９００は、基板９４１を駆動して図４に示す第１位置と図５及び図６に示す第２位置との間で回動させる図示していない基板駆動部を備えている。なお、図５及び図６に示す第２位置は、トレイ群９２０にディスクが載置されているとき、光ヘッドシャーシ９４３の先端部分に支持されたターンテーブル９４４と、底面板９１１又は上面板９１６との間にトレイ群９２０に載置されたディスクが存在する位置である。
【０００９】
また、ディスクチェンジャ装置９００は、基板９４１が第２位置に存在するときのターンテーブル９４４とディスクの中心穴が対向する対向位置、即ち、図５及び図６においてディスク９９１が存在する位置に、トレイ群９２０に載置されていたディスクを移動させる図示していない対向位置移動部と、対向位置に存在するディスクを保持する図示していない対向位置保持部と、図示していない外部機器からの要求に応じて対向位置移動部、対向位置保持部、トレイ移動部９３０、基板駆動部及びモータ９４５の動作を制御する図示していない制御部とを備えている。
【００１０】
ここで、トレイ９２１、トレイ９２２、トレイ９２３、トレイ９２４、トレイ９２５及びトレイ９２６には、それぞれディスク９９１、ディスク９９２、ディスク９９３、ディスク９９４、ディスク９９５及びディスク９９６が載置されており、ディスクチェンジャ装置９００は図４に示す状態であるとする。
【００１１】
制御部は、ディスクチェンジャ装置９００が図４に示す状態であるとき、トレイ群９２０に載置されたディスクのうち例えばディスク９９１に記憶された情報の再生が外部機器から要求されると、ディスク９９１を対向位置移動部によって図５及び図６に示す対向位置まで移動させ、対向位置に移動したディスク９９１を対向位置保持部に保持させる。
【００１２】
対向位置保持部にディスク９９１を保持させると、制御部は、対向位置に移動したディスク９９１が載置されていたトレイ９２１と、トレイ９２１より底面板９１１側のトレイ９２２、トレイ９２３、トレイ９２４、トレイ９２５及びトレイ９２６とを、トレイ移動部９３０によって底面板９１１側に傾けさせる。
【００１３】
トレイ９２１、トレイ９２２、トレイ９２３、トレイ９２４、トレイ９２５及びトレイ９２６が底面板９１１側に傾くと、制御部は、基板駆動部によって基板９４１を駆動して図４に示す第１位置から図５及び図６に示す第２位置まで回動させることによって、トレイ群９２０に対してターンテーブル９４４を移動させる。
【００１４】
基板９４１が図５及び図６に示す第２位置まで回動すると、制御部は、対向位置保持部によるディスク９９１の保持を解除して、ターンテーブル９４４にディスク９９１を保持させる。
【００１５】
ターンテーブル９４４がディスク９９１を保持すると、制御部は、モータ９４５によってターンテーブル９４４を駆動して回転させるとともに、ターンテーブル９４４とともに回転するディスク９９１に記憶された情報を光ピックアップ９４６によって読み取って再生する。
【００１６】
【特許文献１】
特開平１１−４５４９０号公報（第３−４頁、第４−５図）
【００１７】
【発明が解決しようとする課題】
しかしながら、上記従来のディスクチェンジャ装置９００においては、光ヘッドシャーシ９４３、ターンテーブル９４４及びモータ９４５の荷重によって基板９４１の先端部分が底面板９１１側に傾くので、基板９４１が筐体９１０に対して回動することによってトレイ群９２０に対してターンテーブル９４４を移動させるときに、トレイ群９２０に載置されたディスクのうち基板９４１と底面板９１１との間に挟まれた最も基板９４１に近いディスクに基板９４１の先端部分が接触し、ディスクに傷を付けてしまうという問題があった。
【００１８】
そこで、本発明は、載置部に対して保持部が移動するときに載置部に載置されたディスクに傷を付けることを防止するディスク保持装置を提供することを目的とする。
【００１９】
【課題を解決するための手段】
上記課題を解決するために、本発明のディスク保持装置は、ディスクが載置される載置部と、前記載置部を支持した基部と、前記基部に支持されて前記基部に対して運動する運動部と、前記載置部に載置された前記ディスクに接触しながら移動することによって回転する回転部とを備え、前記回転部は、前記運動部に回転可能に取り付けられ、前記運動部は、前記ディスクを保持する保持部を有し、前記基部に対して運動することによって前記載置部に対して前記保持部及び前記回転部を移動させる構成を有している。
【００２０】
この構成により、本発明のディスク保持装置は、載置部に対して保持部が移動するときに、運動部に回転可能に取り付けられた回転部が載置部に載置されたディスクに接触しながら移動することによって回転するので、載置部に載置されたディスクに傷を付けることを防止することができる。
【００２１】
【発明の実施の形態】
以下、本発明の一実施の形態について、図面を用いて説明する。
【００２２】
まず、本実施の形態に係るディスクチェンジャ装置の構成について説明する。
【００２３】
図１から図３までにおいて、本実施の形態に係るディスク保持装置としてのディスクチェンジャ装置１００は、複数のディスクから選択された１つのディスクを保持するものである。
【００２４】
ディスクチェンジャ装置１００は、軸１１１ａを有した基部としての底面板１１１と、ディスクが挿入されるディスク挿入穴１１２ａが形成された正面板１１２と、背面板１１３と、側面板１１４及び側面板１１５と、上面板１１６とを有した筐体１１０を備えている。
【００２５】
また、ディスクチェンジャ装置１００は、ディスクが載置される載置部としての６枚のトレイ１２１、トレイ１２２、トレイ１２３、トレイ１２４、トレイ１２５及びトレイ１２６から構成されるトレイ群１２０と、トレイ群１２０に係合する回転体１３１、及び、回転体１３１と同様な図示していない複数の回転体を有して筐体１１０に対してトレイ群１２０を移動させるトレイ移動部１３０とを備えている。ここで、トレイ群１２０は、トレイ移動部１３０を介して底面板１１１及び上面板１１６に支持されている。
【００２６】
また、ディスクチェンジャ装置１００は、底面板１１１の軸１１１ａに回動可能に支持された基板１４１と、基板１４１に対して底面板１１１側とは反対側で基板１４１に取り付けられた３個のダンパ１４２ａ、ダンパ１４２ｂ及びダンパ１４２ｃと、ダンパ１４２ａ、ダンパ１４２ｂ及びダンパ１４２ｃを介して基板１４１に支持された光ヘッドシャーシ１４３とを備えている。
【００２７】
また、ディスクチェンジャ装置１００は、ディスクを保持する保持部として、光ヘッドシャーシ１４３に対して基板１４１側とは反対側で光ヘッドシャーシ１４３の先端部分に回転可能に支持されたターンテーブル１４４を備えている。
【００２８】
また、ディスクチェンジャ装置１００は、ターンテーブル１４４に直結された回転軸１４５ａを有して光ヘッドシャーシ１４３に対してターンテーブル１４４側とは反対側で光ヘッドシャーシ１４３に取り付けられたモータ１４５を備えている。
【００２９】
また、ディスクチェンジャ装置１００は、ターンテーブル１４４に保持されたディスクに記憶された情報を読み取る光ピックアップ１４６と、光ヘッドシャーシ１４３に取り付けられて光ヘッドシャーシ１４３に対して光ピックアップ１４６を移動させる図示していない送りネジと、光ヘッドシャーシ１４３に取り付けられて送りネジを駆動して回転させる図示していないネジ用モータとを備えている。
【００３０】
また、ディスクチェンジャ装置１００は、軸１４７ａを有して基板１４１の先端部分に取り付けられた軸部材１４７と、軸部材１４７を介して基板１４１の先端部分に軸部材１４７の軸１４７ａを中心軸として回転可能に取り付けられたローラ１４８とを備えている。ここで、ローラ１４８は、トレイ群１２０に載置されたディスクに接触しながら移動することによって回転する回転部を構成している。
【００３１】
なお、軸部材１４７及びローラ１４８は、トレイ群１２０に載置されたディスクにローラ１４８が接触するときにトレイ群１２０に載置されたディスクから基板１４１が離隔する位置に、基板１４１に取り付けられている。また、軸部材１４７の軸１４７ａの中心線と、底面板１１１の軸１１１ａの中心線とは略直交している。
【００３２】
また、ディスクチェンジャ装置１００は、基板１４１を駆動して図１に示す第１位置と図２及び図３に示す第２位置との間で回動させる図示していない基板駆動部を備えている。なお、図２及び図３に示す第２位置は、トレイ群１２０にディスクが載置されているとき、光ヘッドシャーシ１４３の先端部分に支持されたターンテーブル１４４と、底面板１１１又は上面板１１６との間にトレイ群１２０に載置されたディスクが存在する位置である。
【００３３】
ここで、基板１４１、ダンパ１４２ａ、ダンパ１４２ｂ、ダンパ１４２ｃ、光ヘッドシャーシ１４３、ターンテーブル１４４、モータ１４５、光ピックアップ１４６、送りネジ及びネジ用モータは、底面板１１１の軸１１１ａに支持されて底面板１１１に対して軸１１１ａを中心軸として回動運動し、底面板１１１に対して回転運動することによってトレイ群１２０に対してターンテーブル１４４及びローラ１４８を移動させる運動部を構成している。
【００３４】
また、ディスクチェンジャ装置１００は、正面板１１２のディスク挿入穴１１２ａに挿入されたディスクを検出する図示していないセンサと、正面板１１２のディスク挿入穴１１２ａの近傍に配置されてディスク挿入穴１１２ａに挿入されたディスクをトレイ群１２０まで搬送する搬送ローラ１５０と、搬送ローラ１５０を駆動して回転させる図示していないローラ用モータとを備えている。
【００３５】
また、ディスクチェンジャ装置１００は、基板１４１が第２位置に存在するときのターンテーブル１４４とディスクの中心穴が対向する対向位置、即ち、図２及び図３においてディスク１９１が存在する位置に、トレイ群１２０に載置されていたディスクを移動させる図示していない対向位置移動部と、対向位置に存在するディスクを保持する図示していない対向位置保持部と、センサの検出結果や図示していない外部機器からの要求に応じてローラ用モータ、対向位置移動部、対向位置保持部、トレイ移動部１３０、基板駆動部、モータ１４５及びネジ用モータの動作を制御する図示していない制御部とを備えている。
【００３６】
次に、本実施の形態に係るディスク保持装置の動作について説明する。
【００３７】
ディスクチェンジャ装置１００の制御部は、ディスクがディスク挿入穴１１２ａに挿入されて図示していないセンサによって検出されると、ローラ用モータによって搬送ローラ１５０を駆動して回転させ、ディスク挿入穴１１２ａに挿入されたディスクを搬送ローラ１５０によってトレイ群１２０まで搬送する。
【００３８】
ここで、トレイ１２１、トレイ１２２、トレイ１２３、トレイ１２４、トレイ１２５及びトレイ１２６には、それぞれディスク１９１、ディスク１９２、ディスク１９３、ディスク１９４、ディスク１９５及びディスク１９６が載置されており、ディスクチェンジャ装置１００は図１に示す状態であるとする。
【００３９】
制御部は、ディスクチェンジャ装置１００が図１に示す状態であるとき、トレイ群１２０に載置されたディスクのうち例えばディスク１９１に記憶された情報の再生が外部機器から要求されると、ディスク１９１を対向位置移動部によって図２及び図３に示す対向位置まで移動させ、対向位置に移動したディスク１９１を対向位置保持部に保持させる。
【００４０】
対向位置保持部にディスク１９１を保持させると、制御部は、対向位置に移動したディスク１９１が載置されていたトレイ１２１と、トレイ１２１より底面板１１１側のトレイ１２２、トレイ１２３、トレイ１２４、トレイ１２５及びトレイ１２６とを、トレイ移動部１３０によって底面板１１１側に傾けさせる。
【００４１】
トレイ１２１、トレイ１２２、トレイ１２３、トレイ１２４、トレイ１２５及びトレイ１２６が底面板１１１側に傾くと、制御部は、基板駆動部によって基板１４１を駆動して図１に示す第１位置から図２及び図３に示す第２位置まで回動させることによって、トレイ群１２０に対してターンテーブル１４４を移動させる。
【００４２】
ここで、対向位置に移動したディスク１９１が載置されていたトレイ１２１より底面板１１１側のトレイ１２２にディスク１９２が載置されているので、基板１４１に回転可能に取り付けられたローラ１４８は、トレイ１２２に載置されたディスク１９２に接触しながら移動することによって回転する。また、トレイ群１２０に載置されたディスクにローラ１４８が接触するときにトレイ群１２０に載置されたディスクから基板１４１が離隔する位置に軸部材１４７及びローラ１４８が基板１４１に取り付けられているので、ローラ１４８がトレイ１２２に載置されたディスク１９２に接触すると、基板１４１はトレイ１２２に載置されたディスク１９２に接触しない。
【００４３】
基板１４１が図２及び図３に示す第２位置まで回動すると、制御部は、対向位置保持部によるディスク１９１の保持を解除して、ターンテーブル１４４にディスク１９１を保持させる。
【００４４】
ターンテーブル１４４がディスク１９１を保持すると、制御部は、モータ１４５によってターンテーブル１４４を駆動して回転させるとともに、ネジ用モータによって送りネジを駆動して回転させて光ピックアップ１４６を光ヘッドシャーシ１４３に対して移動させることによって、ターンテーブル１４４とともに回転するディスク１９１に記憶された情報を光ピックアップ１４６によって読み取って再生する。
【００４５】
また、ターンテーブル１４４がディスク１９１を保持しているときに、トレイ群１２０に載置されたディスクのうち例えばディスク１９２に記憶された情報の再生が外部機器から要求されると、制御部は、トレイ１２１に載置されたディスク１９１をターンテーブル１４４に保持させる上述した動作と逆の動作によって、ディスク１９１を再びトレイ１２１に載置する。
【００４６】
そして、制御部は、トレイ１２１に載置されたディスク１９１をターンテーブル１４４に保持させる上述した動作と同様にして、トレイ１２２に載置されたディスク１９２をターンテーブル１４４に保持させた後、ディスク１９２に記憶された情報を光ピックアップ１４６によって読み取って再生する。
【００４７】
なお、トレイ１２２に載置されたディスク１９２をターンテーブル１４４に保持させるときも、トレイ１２１に載置されたディスク１９１をターンテーブル１４４に保持させるときと同様に、基板１４１に回転可能に取り付けられたローラ１４８は、対向位置に移動したディスク１９２が載置されていたトレイ１２２より底面板１１１側のトレイ１２３に載置されたディスク１９３に接触しながら移動することによって回転するので、基板１４１はトレイ１２３に載置されたディスク１９３に接触しない。
【００４８】
以上に説明したように、ディスクチェンジャ装置１００は、トレイ群１２０に対してターンテーブル１４４が移動するときに、基板１４１に回転可能に取り付けられたローラ１４８がトレイ群１２０に載置されたディスクに接触しながら移動することによって回転するので、トレイ群１２０に載置されたディスクに傷を付けることを防止することができる。
【００４９】
なお、ローラ１４８は、本実施の形態において、基板１４１に回転可能に取り付けられていたが、本発明によれば、運動部に回転可能に取り付けられていれば良く、例えば光ヘッドシャーシ１４３に回転可能に取り付けられていても良い。
【００５０】
また、運動部は、本実施の形態において、底面板１１１の軸１１１ａに支持されて底面板１１１に対して軸１１１ａを中心軸として回動運動する構成であったが、本発明によれば、トレイ群１２０に対してターンテーブル１４４及びローラ１４８を移動させることができれば、底面板１１１に対して移動運動などの回動運動以外の運動をする構成であっても良い。
【００５１】
【発明の効果】
以上説明したように、本発明によれば、載置部に対して保持部が移動するときに載置部に載置されたディスクに傷を付けることを防止するディスク保持装置を提供することができる。
【図面の簡単な説明】
【図１】基板が第１位置に存在するときの本発明の一実施の形態に係るディスクチェンジャ装置の上面断面図
【図２】基板が第２位置に存在するときの図１に示すディスクチェンジャ装置の上面断面図
【図３】基板が第２位置に存在するときの図１に示すディスクチェンジャ装置の側面断面図
【図４】基板が第１位置に存在するときの従来のディスクチェンジャ装置の上面断面図
【図５】基板が第２位置に存在するときの図４に示すディスクチェンジャ装置の上面断面図
【図６】基板が第２位置に存在するときの図４に示すディスクチェンジャ装置の側面断面図
【符号の説明】
１００　　　ディスクチェンジャ装置（ディスク保持装置）
１１１　　　底面板（基部）
１２０　　　トレイ群（載置部）
１２１、１２２、１２３、１２４、１２５、１２６　　　トレイ（載置部）
１４１　　　基板（運動部）
１４２ａ、１４２ｂ、１４２ｃ　　　ダンパ（運動部）
１４３　　　光ヘッドシャーシ（運動部）
１４４　　　ターンテーブル（運動部、保持部）
１４５　　　モータ（運動部）
１４６　　　光ピックアップ（運動部）
１４８　　　ローラ（回転部）
１９１、１９２、１９３、１９４、１９５、１９６　　　ディスク
【図１】
2004146026.tif 000003
【図２】
2004146026.tif 000004
【図３】
2004146026.tif 000005
【図４】
2004146026.tif 000006
【図５】
2004146026.tif 000007
【図６】
2004146026.tif 000008